(57)【要約】【課題】回転ヒンジを目立たなくし、また、開いたときに筐体同士に段差が生じないようにする。【解決手段】二つの筐体（１・２）を重ねた状態から相対的に回転させるために互いの端部同士で接続するヒンジ軸６４と、両筐体（１・２）を相対的に回転させるのに伴って、ヒンジ軸６４を両筐体（１・２）内からスライドさせて引き出すスライド部６５・６６と、を備える。具体的には、ヒンジ軸６４が一方の筐体２と一体に回転するのに連動して、スライド部６５・６６をスライドさせるリンク部材６１を備える。そして、ヒンジ軸６４は二つの回転軸からなり、その一方の回転軸の偏心位置にリンク部材６１が連結される。【選択図】図１０
2011142531.tif 000002
【特許請求の範囲】
【請求項１】
二つの筐体を相対的に回転させるために互いの端部同士で接続するヒンジ軸と、
両筐体を重ねた状態から相対的に回転させるのに伴って、前記ヒンジ軸を両筐体内からスライドさせて引き出すスライド部と、を備えることを特徴とする筐体の回転機構。
【請求項２】
前記ヒンジ軸が一方の筐体と一体に回転するのに連動して、前記スライド部をスライドさせるリンク部材を備えることを特徴とする請求項１に記載の筐体の回転機構。
【請求項３】
前記ヒンジ軸は二つの回転軸からなり、その一方の回転軸の偏心位置に前記リンク部材が連結されることを特徴とする請求項２に記載の筐体の回転機構。
【請求項４】
前記ヒンジ軸と一体的にトルク発生部が設けられることを特徴とする請求項２または３に記載の筐体の回転機構。
【請求項５】
前記ヒンジ軸及びスライド部を覆うカバーが設けられることを特徴とする請求項１から４のいずれか一項に記載の筐体の回転機構。
【請求項６】
前記ヒンジ軸が一方の筐体と一体に回転するのに連動して、前記スライド部をスライドさせる送りネジ部材を備えることを特徴とする請求項１に記載の筐体の回転機構。
【請求項７】
前記ヒンジ軸は二つの回転軸からなり、その一方の回転軸と同軸上に設けた前記送りネジ部材にネジ結合されるレバー部材と、前記レバー部材を案内する斜めのレール部材と、を備えることを特徴とする請求項６に記載の筐体の回転機構。
【請求項８】
請求項１から７のいずれか一項に記載の筐体の回転機構を備えることを特徴とする電子機器。
【発明の詳細な説明】
【技術分野】
【０００１】
本発明は、筐体の回転機構と、その筐体の回転機構を備える電子機器に関する。
【背景技術】
【０００２】
折り畳み式携帯通信機器においては、複数の筐体を折り畳んだ状態から、相対的に回転させて開放できるようにするため、筐体を接続する回転ヒンジを備えている（例えば特許文献１参照）。
【先行技術文献】
【特許文献】
【０００３】
【特許文献１】特開２００６−３２４９１２号公報
【発明の概要】
【発明が解決しようとする課題】
【０００４】
しかし、従来の回転ヒンジは外部に露出しており目立っている。また、開いたときに筐体同士に段差が発生している。
【０００５】
本発明の課題は、回転ヒンジを目立たなくし、また、開いたときに筐体同士に段差が生じないようにすることである。
【課題を解決するための手段】
【０００６】
以上の課題を解決するため、請求項１に記載の発明は、二つの筐体を相対的に回転させるために互いの端部同士で接続するヒンジ軸と、両筐体を重ねた状態から相対的に回転させるのに伴って、前記ヒンジ軸を両筐体内からスライドさせて引き出すスライド部と、を備える筐体の回転機構を特徴とする。
【０００７】
請求項２に記載の発明は、請求項１に記載の筐体の回転機構であって、前記ヒンジ軸が一方の筐体と一体に回転するのに連動して、前記スライド部をスライドさせるリンク部材を備えることを特徴とする。
【０００８】
請求項３に記載の発明は、請求項２に記載の筐体の回転機構であって、前記ヒンジ軸は二つの回転軸からなり、その一方の回転軸の偏心位置に前記リンク部材が連結されることを特徴とする。
【０００９】
請求項４に記載の発明は、請求項２または３に記載の筐体の回転機構であって、前記ヒンジ軸と一体的にトルク発生部が設けられることを特徴とする。
【００１０】
請求項５に記載の発明は、請求項１から４のいずれか一項に記載の筐体の回転機構であって、前記ヒンジ軸及びスライド部を覆うカバーが設けられることを特徴とする。
【００１１】
請求項６に記載の発明は、請求項１に記載の筐体の回転機構であって、前記ヒンジ軸が一方の筐体と一体に回転するのに連動して、前記スライド部をスライドさせる送りネジ部材を備えることを特徴とする。
【００１２】
請求項７に記載の発明は、請求項６に記載の筐体の回転機構であって、前記ヒンジ軸は二つの回転軸からなり、その一方の回転軸と同軸上に設けた前記送りネジ部材にネジ結合されるレバー部材と、前記レバー部材を案内する斜めのレール部材と、を備えることを特徴とする。
【００１３】
請求項８に記載の発明は、請求項１から７のいずれか一項に記載の筐体の回転機構を備える電子機器を特徴とする。
【発明の効果】
【００１４】
本発明によれば、回転ヒンジが内部に収納されているので目立たなくなっている。また、閉じた状態の第１筐体と第２筐体の厚み方向中心付近の高さにヒンジ軸を持ってくることにより、開いたときに筐体同士に段差が生じることもない。
【図面の簡単な説明】
【００１５】
【図１】本発明を適用した電子機器の一実施形態の構成を示すもので、携帯電話の折り畳んで閉じた状態を示した斜視図（ａ）と、開いた状態を示した図（ｂ）である。
【図２】図１（ａ）の閉じた筐体を透視して回転機構を示した斜視図（ａ）と、閉じた筐体の側面図（ｂ）と、その筐体を透視して回転機構を示した図（ｃ）である。
【図３】図１（ｂ）の開いた筐体を透視して回転機構を示した斜視図（ａ）と、開いた筐体の側面図（ｂ）と、その筐体を透視して回転機構を示した図（ｃ）である。
【図４】図１の筐体と図２の回転機構及びカバーの分解斜視図である。
【図５】図２の閉じた筐体の回転機構の拡大図（ａ）と、図３の開いた筐体の回転機構の拡大図（ｂ）である。
【図６】図５の回転機構の右構成部品の分解斜視図である。
【図７】図５の回転機構の左構成部品の分解斜視図である。
【図８】図５の回転機構の右構成部品の閉じた状態を示す拡大図（ａ）、開く中間状態を示す図（ｂ）と、開いた状態を示す図（ｃ）である。
【図９】図５の回転機構の平面図である。
【図１０】図９の矢印Ａ−Ａ線に沿って右構成部品の閉じた状態を示す断面図（ａ）、開く中間状態を示す図（ｂ）と、開いた状態を示す図（ｃ）である。
【図１１】図１の筐体の開く中間状態を示す図（ａ）と、その回転機構カバーを外した図（ｂ）である。
【図１２】図１１の筐体の背面側を示す図（ａ）と、その回転機構カバーを外した図（ｂ）である。
【図１３】図１１の筐体を透視して回転機構を示した側面図である。
【図１４】図１の筐体の開いた状態を示す図である。
【図１５】図１４の筐体を透視して回転機構及び配線を示した図である。
【図１６】回転機構の変形例を示すもので、筐体を透視して開いた状態を示した図である。
【図１７】スライド機構の変形例を示すもので、閉じた状態の斜視図（ａ）と、開いた状態の図（ｂ）である。
【図１８】トルク発生部の変形例１を示すもので、閉じた状態の斜視図（ａ）と、その弾性部材の形状を示した図（ｂ）である。
【図１９】図１８の回転機構の開いた状態を示す図である。
【図２０】トルク発生部の変形例２を示すもので、閉じた状態の斜視図（ａ）と、そのトルク発生部を覆う部分を外した図（ｂ）である。
【図２１】図２０の回転機構の開く中間状態の図（ａ）と、そのトルク発生部を覆う部分を外した図（ｂ）である。
【図２２】図２０の回転機構の開いた状態の図（ａ）と、そのトルク発生部を覆う部分を外した図（ｂ）である。
【図２３】実施形態２の回転機構を示すもので、筐体を透視して閉じた状態の斜視図（ａ）と、閉じた筐体の側面図（ｂ）と、その筐体を透視して回転機構を示した図（ｃ）である。
【図２４】図２３の筐体を開いた状態の斜視図（ａ）と、開いた筐体の側面図（ｂ）と、その筐体を透視して回転機構を示した図（ｃ）である。
【図２５】図２３の閉じた筐体の回転機構の拡大図（ａ）と、図２４の開いた筐体の回転機構の拡大図（ｂ）である。
【図２６】図２５の回転機構の構成部品の分解斜視図である。
【図２７】図２５（ａ）の閉じた状態でスライド部を透視した図（ａ）と、そのスライド部も示した図（ｂ）である。
【図２８】図２７（ａ）の回転機構の開く中間状態の図（ａ）と、そのスライド部も示した図（ｂ）である。
【図２９】図２５（ｂ）の開いた状態でスライド部を透視した図（ａ）と、そのスライド部も示した図（ｂ）である。
【図３０】図２４（ａ）の回転機構に配線を示した図である。
【発明を実施するための形態】
【００１６】
以下、図を参照して本発明を実施するための形態を詳細に説明する。
（実施形態１）
図１は本発明を適用した電子機器の一実施形態の構成として折り畳み式携帯電話を示したもので、図１（ａ）は折り畳んで閉じた状態を示し、図１（ｂ）は開いた状態を示しており、１は第１筐体、２は第２筐体、３は操作部、４は表示部、５はヒンジカバーである。
【００１７】
図示のように、第１筐体１に操作部３が設けられて、第２筐体２に表示部４が設けられて、これら第１筐体１と第２筐体２はヒンジカバー５等で覆われたヒンジ機構（回転機構）を介して折り畳み自在（開閉自在）に結合されている。
【００１８】
図２は閉じた状態、図３は開いた状態、図４は分解した状態を示したもので、図５は回転機構を拡大して示しており、６は右のヒンジユニット、７は左のヒンジユニットである。
【００１９】
図６は右のヒンジユニット６の構成部品を分解したもので、６０は固定部、６１はリンク、６２・６３はピン、６４はヒンジ軸、６５・６６はスライド部、６７はトルク発生部、６８は圧入部、６９はワッシャである。
【００２０】
図示のように、固定部６０には、リンク６１及びピン６２・６３を介してヒンジ軸６４が連結されている。すなわち、固定部６０にリンク６１の一端がピン６２で連結されて、リンク６１の他端がピン６３でヒンジ軸６４の偏心位置に連結されている。また、ヒンジ軸６４の左右端の同軸上に一対のスライド部６５・６６が相対回転自在に連結されている。
【００２１】
一対のスライド部６５・６６は、固定部６０の左右のレール６０ａに沿って係合溝６５ａ・６６ａをスライド自在に組み付けて、凹凸結合部６５ｂ・６６ｂで一体化結合される。そして、ヒンジ軸６４の周囲には、トルク発生部６７及び圧入部６８が組み付けられて、ワッシャ６９により抜け止めされている。なお、トルク発生部６７は、図示しないクリック発生部と圧縮コイルバネ及びワッシャを内蔵して構成される。
【００２２】
図７は左のヒンジユニット７の構成部品を分解したもので、７０は固定部、７１はスライド部、７２は中空軸、７３は圧入部、７４はワッシャである。
【００２３】
図示のように、固定部７０の左右のレール７０ａに沿ってスライド部７１の係合溝７１ａがスライド自在に組み付けられている。スライド部７１は、中空軸７２に相対回転自在に連結されている。そして、中空軸７２の周囲には、圧入部７３が組み付けられて、ワッシャ７４により抜け止めされている。
【００２４】
以上、左右のヒンジユニット６・７において、固定部６０・７０が第１筐体１の内部にそれぞれネジ止めして一体化されて、圧入部６８・７３が第２筐体２のヒンジボス２０内にそれぞれ圧入して一体化される。
【００２５】
図８及び図１０は右ヒンジユニット６の作用を説明するもので、図８（ａ）及び図１０（ａ）に示す閉じた状態において、第１筐体１と第２筐体２を開くと、第２筐体２のヒンジボス２０内に圧入した圧入部６８と一体化されたヒンジ軸６４の回転により、その偏心位置にピン６３で連結したリンク６１が、固定部６０に連結されたピン６２を支点に揺動する。
【００２６】
このとき、固定部６０に連結されたピン６２を支点とするリンク６１の揺動によって、ピン６３を介して連結したヒンジ軸６４の同軸上に相対回転自在に連結されたスライド部６５・６６が、固定部６０のレール６０ａに沿って係合溝６５ａ・６６ａでスライド移動して、図８（ｂ）及び図１０（ｂ）に示す中間状態を経て図８（ｃ）及び図１０（ｃ）に示す開いた状態になる。
【００２７】
以上の結果、ヒンジ軸６４は回転と同時にスライドする。つまり、ヒンジ軸６４の回転角によりスライド位置が一義的に決まる。
【００２８】
このような右ヒンジユニット６の動作と同期して左ヒンジユニット７も連動する。すなわち、第２筐体２のヒンジボス２０内に圧入した圧入部７３と一体化された中空軸７２に相対回転自在に連結したスライド部７１が、固定部７０のレール７０ａに沿って係合溝７１ａでスライド移動する。
【００２９】
以上の構成による右ヒンジユニット６及び左ヒンジユニット７を、第１筐体１と第２筐体２を閉じた状態において、図２に示すように、両筐体１・２内に収納した状態に組み付けてヒンジカバー５で覆った状態にする。なお、ヒンジ軸６４は、閉じた状態の第１筐体１と第２筐体２の厚み方向中心付近の高さに位置している。また、開閉時の干渉を回避するため、第１筐体１もしくは第２筐体２のヒンジ側端部は切り欠き形状となっており、図２及び図３の例では、第２筐体２のヒンジ側端部が斜めの切り欠き形状となっている。
【００３０】
図１１（ａ）は両筐体１・２の開く中間状態を示し、図１１（ｂ）はそのヒンジカバー５を外したもので、図１２（ａ）は図１１の両筐体１・２の背面側を示し、図１２（ｂ）はそのヒンジカバー５を外したもので、図１３は図１１の両筐体１・２を透視してヒンジユニット６を示したものである。
【００３１】
また、図１４は図１の両筐体１・２の開いた状態を示し、図１５はその両筐体１・２を透視してヒンジユニット６・７及び配線８を示したもので、図示のように、左のヒンジユニット７の中空軸７２の中空部に、第１筐体１の操作部３と第２筐体２の表示部４とを電気的に接続する同軸細線による配線８を通している。
【００３２】
以上、実施形態の折り畳み式携帯電話によれば、両筐体１・２を開放させるのに伴って、ヒンジ軸６４を両筐体１・２内からスライドさせて引き出すスライド部６５・６６を備え、具体的には、ヒンジ軸６４が第２筐体２と一体に回転するのに連動して、スライド部６５・６６をスライドさせるリンク６１を備えることで、両筐体１・２を閉じた状態において、ヒンジカバー５が若干突出するだけで、回転ヒンジが内部に収納されているので目立たなくなっている。
また、閉じた状態の第１筐体１と第２筐体２の厚み方向中心付近の高さにヒンジ軸６４を持ってくることにより、両筐体１・２を開いた状態において、筐体１・２同士に段差が生じることもない。
【００３３】
（変形例）
図１６は回転機構の変形例を示すもので、両筐体１・２を透視して開いた状態を示しており、左のヒンジユニット７を用いずに、図示のように、右のヒンジユニット６を一つだけ設けたものでもよい。
【００３４】
図１７はスライド機構の変形例を示すもので、図１７（ａ）は閉じた状態、図１７（ｂ）は開いた状態を示しており、図示のように、左右のヒンジユニット６・７において、各々の固定部６０・７０に設けた円柱状のレール６０ｃ・７０ｃを、各々のスライド部６５・７１に設けた貫通穴６５ｃ・７１ｃにそれぞれ挿入した構造のスライド機構としてもよい。
【００３５】
図１８はトルク発生部の変形例１を示すもので、図１８（ａ）は閉じた状態、図１８（ｂ）はその弾性部材９の形状を示し、図１９は開いた状態を示しており、右のヒンジユニット６において、ヒンジ軸６４上にトルク発生部６７を設けずに、図示のように、スライド部６５にねじりコイルバネ９を設けてもよい。
【００３６】
図示例において、ねじりコイルバネ９は、その一端部を固定部６０上にピン９０で止めて、他端部をスライド部６５下にピン９１で止めている。
【００３７】
このようにスライド部６５に設けたねじりコイルバネ９の弾性付勢力によって、図１８に示すように、ヒンジユニット６・７が閉じた状態に保たれ、また、図１９に示すように、ヒンジユニット６・７が開いた状態に保たれる。
【００３８】
図２０はトルク発生部の変形例２を示すもので、図２０（ａ）は閉じた状態、図２０（ｂ）はそのトルク発生部１０を覆うスライド部６５を外した状態を示し、図２１（ａ）は開く中間状態、図２１（ｂ）はそのトルク発生部１０を覆うスライド部６５を外した状態を示し、図２２（ａ）は開いた状態、図２２（ｂ）はそのトルク発生部１０を覆うスライド部６５を外した状態を示しており、図示のように、スライド部６５にトルク発生部１０を設けてもよい。
【００３９】
図示例において、トルク発生部１０は、係合駒１１と、その軸部１２の周囲に設けられた圧縮コイルバネ１３とから構成される。係合駒１１は、圧縮コイルバネ１３の弾性付勢力によって、固定部６０のスライド部６５が係合する方のレール６０ａに形成した二個のストップ溝６０ｄ・６０ｅのいずれかに係合した状態に保たれる。
【００４０】
このようにスライド部６５に設けたトルク発生部１０の圧縮コイルバネ１３の弾性付勢力によって、図２０に示すように、固定部６０のストップ溝６０ｄに係合駒１１が係合して、ヒンジユニット６・７が閉じた状態に保たれ、また、図２２に示すように、固定部６０のストップ溝６０ｅに係合駒１１が係合して、ヒンジユニット６・７が開いた状態に保たれる。
【００４１】
しかも、ストップ溝６０ｄ・６０ｅに対する係合駒１１の圧縮コイルバネ１３の弾性付勢力を伴う係合・離脱の際、すなわち、図２１に示した中間状態から図２０または図２２に示した係合状態への移行やその逆の移行の際、適度のクリック感が得られる。
【００４２】
なお、以上のスライド機能を利用して、図示しないが、他の部品を駆動させてもよい。
例えば、閉じている時と開いている時でサイドキーの表示を変えたり、あるいは、閉じているときはカメラレンズにカバーがスライドして覆って傷の防止を図り、ヒンジを開くとカメラカバーがスライドして開き撮影可としてもよい。
【００４３】
また、以上の実施形態では、第２筐体２のヒンジボス２０にヒンジ軸６４及び中空軸７２を圧入したが、筐体に設けた取付板に開けた穴にヒンジ軸を通してネジ止めしてもよい。
【００４４】
（実施形態２）
図２３及び図２４は実施形態２の回転機構を示すもので、図２３（ａ）は筐体１・２を透視して閉じた状態の斜視図、図２３（ｂ）はその閉じた筐体１・２の側面図、図２３（ｃ）はその筐体１・２を透視して回転機構を示し、図２４（ａ）は筐体１・２を開いた状態の斜視図、図２４（ｂ）はその開いた筐体１・２の側面図、図２４（ｃ）はその筐体１・２を透視して回転機構を示しており、１０１はヒンジユニット、１０５はヒンジカバーである。
【００４５】
ヒンジユニット１０１は、図２５及び図２６に示すように、第１筐体固定部１１０、スライド部１１１、第２筐体固定部１１３、ヒンジ軸１１４、中空軸１１５、送りネジ１１８・１１９、レバー１２０等から構成される。
【００４６】
すなわち、第１筐体固定部１１０の左右のレール１１０ａに沿ってスライド部１１１の係合溝１１１ａがスライド自在に組み付けられるとともに、スライド部１１１が第１筐体固定部１１０の一対の縦方向溝１１０ｂに沿ってピン１１２でスライド自在に組み付けられている。
【００４７】
そして、スライド部１１１に設けた左右一対の結合片１１１ｂに第２筐体固定部１１３が同一軸線上のヒンジ軸１１４及び中空軸１１５を介して回転自在に結合されている。左側のヒンジ軸１１４は、ホルダ１１６を介して第２筐体固定部１１３内を貫通するように結合片１１１ｂに組み付けられ、右側の中空軸１１５は、第２筐体固定部１１３の右側を貫通してカラー１１７を介し結合片１１１ｂに組み付けられている。
【００４８】
また、ヒンジ軸１１４には同一軸線上に雄ネジ１１８が一体に形成されている。この雄ネジ１１８に雌ネジ１１９をネジ結合して、送りネジ部材が構成されている。さらに、雌ネジ１１９上にレバー１２０の一端部が一体化して組み付けられている。このレバー１２０の他端部には、第１筐体固定部１１０の左側に形成された斜め方向溝１１０ｃと、スライド部１１１の左側に形成された横方向溝１１１ｃとを貫通するピン１２１が取り付けられている。
【００４９】
また、第２筐体固定部１１３内において、ヒンジ軸１１４上にトルク発生部１０３が組み付けられている。トルク発生部１０３は、一対のクリック発生部１３０・１３１と、圧縮コイルバネ１３２と、ワッシャ１３３により構成されている。
【００５０】
以上の構成によるヒンジユニット１０１を、第１筐体１と第２筐体２を閉じた状態において、図２３に示すように、両筐体１・２内に収納した状態に組み付けてヒンジカバー１０５でヒンジ軸１１４、中空軸１１５、送りネジ部材１１８・１１９及びトルク発生部１０３等を覆った状態にする。
【００５１】
図２７（ａ）及び（ｂ）は閉じた状態を示したもので、図示のように、一対の縦方向溝１１０ｂの下端にピン１１２が位置して、斜め方向溝１１０ｃの左下端で横方向溝１１１ｃの左端にピン１２１が位置している。また、雄ネジ１１８の左端に雌ネジ１１９が位置している。このような閉じた状態は、トルク発生部１０３の圧縮コイルバネ１３２の弾性付勢力により保持され、また、一対のクリック発生部１３０・１３１の係合・離脱により適度のクリック感が得られる。
【００５２】
図２８（ａ）及び（ｂ）は開く中間状態を示したもので、第１筐体１と第２筐体２を開くと、第２筐体固定部１１３と一体にヒンジ軸１１４が回転すると同時に、図示のように、ヒンジ軸１１４と一体の雄ネジ１１８の回転により雌ネジ１１９を介してレバー１２０が右方向に移動する。このとき、レバー１２０の下端のピン１２１が、斜め方向溝１１０ｃに沿って右上方向に移動するとともに、横方向溝１１１ｃに沿って右方向に移動する結果、縦方向溝１１０ｂに沿ってピン１１２が上方向に移動し、すなわち、第１筐体固定部１１０に対しスライド部１１１が上方向に移動する。
【００５３】
図２９（ａ）及び（ｂ）は開いた状態を示したもので、図示のように、一対の縦方向溝１１０ｂの上端にピン１１２が位置して、斜め方向溝１１０ｃの右上端で横方向溝１１１ｃの右端にピン１２１が位置している。また、雄ネジ１１８の右端に雌ネジ１１９が位置している。このような開いた状態は、閉じた状態と同様、圧縮コイルバネ１３２の弾性付勢力により保持され、また、一対のクリック発生部１３０・１３１の係合・離脱により適度のクリック感が得られる。
【００５４】
図３０はヒンジユニット１０１に配線８を示したもので、図示のように、ヒンジユニット１０１の中空軸１１５の中空部に、第１筐体１の操作部３と第２筐体２の表示部４とを電気的に接続する同軸細線による配線８を通している。
【００５５】
以上、実施形態２の折り畳み式携帯電話によれば、両筐体１・２を開放させるのに伴って、ヒンジ軸１１４を両筐体１・２内からスライドさせて引き出すスライド部１１１を備え、具体的には、ヒンジ軸１１４が第２筐体２と一体に回転するのに連動して、スライド部１１１をスライドさせる送りネジ部材１１８・１１９を備えることで、両筐体１・２を閉じた状態において、ヒンジカバー１０５が若干突出するだけで、回転ヒンジが内部に収納されているので目立たなくなっている。
また、閉じた状態の第１筐体１と第２筐体２の厚み方向中心付近の高さにヒンジ軸１１４を持ってくることにより、両筐体１・２を開いた状態において、筐体１・２同士に段差が生じることもない。
【００５６】
（他の変形例）
以上の実施形態においては、携帯電話としたが、本発明はこれに限定されるものではなく、ＰＤＡ、ノートパソコン、ウェアラブルパソコン、電卓、電子辞書などで複数の筐体よりなり回転自在となっている電子機器の全てに用いることができる。
また、実施形態の縦開き以外、横開きにも適用できる。
さらに、ヒンジ軸を引き出すのは軸と連動するリンク部材以外に、電動で押し出してもよい。
また、筐体、ヒンジ軸、スライド部の構成、リンク部材、カバー、送りネジ部材、レバー部材、レール部材の形状等も任意であり、その他、具体的な細部構造等についても適宜に変更可能であることは勿論である。
【符号の説明】
【００５７】
１  第１筐体
２  第２筐体
２０  ヒンジボス
３  操作部
４  表示部
５  ヒンジカバー
６  右のヒンジユニット
６０  固定部
６１  リンク
６２・６３  ピン
６４  ヒンジ軸
６５・６６  スライド部
６７  トルク発生部
６８  圧入部
６９  ワッシャ
７  左のヒンジユニット
７０  固定部
７１  スライド部
７２  中空軸
７３  圧入部
７４  ワッシャ
８  配線
９  弾性部材
１０  トルク発生部
１０１  ヒンジユニット
１１０  第１筐体固定部
１１０ｃ  斜めのレール部材
１１１  スライド部
１１２  ピン
１１３  第２筐体固定部
１１４  ヒンジ軸
１１５  中空軸
１１６  ホルダ
１１７  カラー
１１８  送りネジ部材
１１９  送りネジ部材
１２０  レバー
１２１  ピン
１０３  トルク発生部
１３０・１３１  クリック発生部
１３２  圧縮コイルバネ
１３３  ワッシャ
１０５  ヒンジカバー
【図１】
2011142531.tif 000003
【図２】
2011142531.tif 000004
【図３】
2011142531.tif 000005
【図４】
2011142531.tif 000006
【図５】
2011142531.tif 000007
【図６】
2011142531.tif 000008
【図７】
2011142531.tif 000009
【図８】
2011142531.tif 000010
【図９】
2011142531.tif 000011
【図１０】
2011142531.tif 000012
【図１１】
2011142531.tif 000013
【図１２】
2011142531.tif 000014
【図１３】
2011142531.tif 000015
【図１４】
2011142531.tif 000016
【図１５】
2011142531.tif 000017
【図１６】
2011142531.tif 000018
【図１７】
2011142531.tif 000019
【図１８】
2011142531.tif 000020
【図１９】
2011142531.tif 000021
【図２０】
2011142531.tif 000022
【図２１】
2011142531.tif 000023
【図２２】
2011142531.tif 000024
【図２３】
2011142531.tif 000025
【図２４】
2011142531.tif 000026
【図２５】
2011142531.tif 000027
【図２６】
2011142531.tif 000028
【図２７】
2011142531.tif 000029
【図２８】
2011142531.tif 000030
【図２９】
2011142531.tif 000031
【図３０】
2011142531.tif 000032